(57)【要約】【課題】投影画像を直接印刷することが可能であるとともに印刷実績を管理可能な画像投影装置、情報処理装置、プログラム及び印刷システムを提供する。【解決手段】ネットワークを介してＰＣ及び画像形成装置と接続されるプロジェクタ１０であって、ＰＣから投影画像を受信する投影画像受信部１５１と、投影画像を投影する投影部１３０と、ＰＣから、当該ＰＣを使用するユーザのユーザ識別情報とともに投影画像の印刷指示を受信する印刷指示受信部１５５と、印刷指示に基づいて、投影画像の印刷に用いられる印刷情報を生成する印刷情報生成部１５７と、印刷情報を画像形成装置へ送信する印刷情報送信部１５９と、ユーザ識別情報と印刷実績とを対応付けた印刷実績テーブルを記憶する印刷実績記憶部１４１において、ユーザのユーザ識別情報に対応付けられている印刷実績を更新する更新部１６３と、を備える。【選択図】図２
2014098805.tif 000002
【特許請求の範囲】
【請求項１】
ネットワークを介して情報処理装置及び印刷装置と接続される画像投影装置であって、
前記情報処理装置から投影画像を受信する投影画像受信部と、
前記投影画像を投影する投影部と、
前記情報処理装置から、当該情報処理装置を使用するユーザのユーザ識別情報とともに前記投影画像の印刷指示を受信する印刷指示受信部と、
前記印刷指示に基づいて、前記投影画像の印刷に用いられる印刷情報を生成する印刷情報生成部と、
前記印刷情報を前記印刷装置へ送信する印刷情報送信部と、
ユーザ識別情報と印刷実績とを対応付けた印刷実績テーブルを記憶する印刷実績記憶部において、前記ユーザの前記ユーザ識別情報に対応付けられている印刷実績を更新する更新部と、
を備える画像投影装置。
【請求項２】
前記情報処理装置から印刷実績の取得指示を受信する取得指示受信部と、
前記取得指示に基づいて、前記印刷実績テーブルを前記情報処理装置へ送信する印刷実績送信部と、
を更に備える請求項１に記載の画像投影装置。
【請求項３】
前記印刷実績送信部は、前記印刷実績テーブルとともに前記画像投影装置の画像投影装置識別情報を前記情報処理装置へ送信する請求項２に記載の画像投影装置。
【請求項４】
前記投影画像は、前記情報処理装置において前記印刷指示及び前記取得指示を行うためのアプリケーション画像を含む請求項２又は３に記載の画像投影装置。
【請求項５】
前記印刷装置から印刷完了通知を受信する印刷完了通知受信部を更に備え、
前記更新部は、前記印刷完了通知に基づいて、受信された前記ユーザ識別情報に対応付けられている前記印刷実績を更新する請求項１〜３のいずれか１つに記載の画像投影装置。
【請求項６】
前記印刷実績記憶部を更に備える請求項１〜５のいずれか１つに記載の画像投影装置。
【請求項７】
ネットワークを介して画像投影装置と接続される情報処理装置であって、
前記画像投影装置へ投影画像を送信する投影画像送信部と、
前記画像投影装置へ、前記情報処理装置を使用するユーザのユーザ識別情報とともに前記投影画像の印刷を指示する印刷指示を送信する印刷指示送信部と、
前記画像投影装置へ印刷実績の取得指示を送信する取得指示送信部と、
前記画像投影装置から、ユーザ識別情報と印刷実績とを対応付けており、前記印刷指示に基づいて前記ユーザの前記ユーザ識別情報に対応付けられている印刷実績が更新される印刷実績テーブルを受信する印刷実績受信部と、
前記印刷実績テーブルに基づくレポートを生成するレポート生成部と、
前記レポートを表示部に表示させる表示制御部と、
を備える情報処理装置。
【請求項８】
前記レポート生成部は、前記レポートとして、印刷実績を印刷料金に換算する換算レートに基づいて、前記印刷実績テーブルの前記印刷実績を前記印刷料金に換算したレポートを生成する請求項７に記載の情報処理装置。
【請求項９】
前記換算レートの入力を受け付ける受付部を更に備える請求項８に記載の情報処理装置。
【請求項１０】
前記レポート生成部は、前記レポートとして、前記印刷実績テーブルの前記ユーザ識別情報と、当該ユーザ識別情報に対応付けられた前記印刷実績から換算された前記印刷料金とを、対応付けたレポートを生成する請求項７又は８に記載の情報処理装置。
【請求項１１】
前記印刷実績受信部は、前記画像投影装置から、前記印刷実績テーブルとともに前記画像投影装置の画像投影装置識別情報を受信し、
前記レポート生成部は、前記レポートとして、更に前記画像投影装置識別情報を対応付けたレポートを生成する請求項１０に記載の情報処理装置。
【請求項１２】
前記情報処理装置は、複数の画像投影装置と接続されており、
前記取得指示送信部は、前記複数の画像投影装置へ前記取得指示を送信し、
前記印刷実績受信部は、前記複数の画像投影装置から、前記印刷実績テーブルとともに前記画像投影装置識別情報を受信する請求項１１に記載の情報処理装置。
【請求項１３】
前記投影画像は、前記印刷指示及び前記取得指示を行うためのアプリケーション画像を含む請求項７〜１２のいずれか１つに記載の情報処理装置。
【請求項１４】
ネットワークを介して情報処理装置及び印刷装置と接続されるコンピュータを、
前記情報処理装置から投影画像を受信する投影画像受信部と、
前記投影画像を投影部に投影させる投影制御部と、
前記情報処理装置から、当該情報処理装置を使用するユーザのユーザ識別情報とともに前記投影画像の印刷指示を受信する印刷指示受信部と、
前記印刷指示に基づいて、前記投影画像の印刷に用いられる印刷情報を生成する印刷情報生成部と、
前記印刷情報を前記印刷装置へ送信する印刷情報送信部と、
ユーザ識別情報と印刷実績とを対応付けた印刷実績テーブルを記憶する印刷実績記憶部において、前記ユーザの前記ユーザ識別情報に対応付けられている印刷実績を更新する更新部と、
して機能させるためのプログラム。
【請求項１５】
ネットワークを介して画像投影装置と接続されるコンピュータを、
前記画像投影装置へ投影画像を送信する投影画像送信部と、
前記画像投影装置へ、前記情報処理装置を使用するユーザのユーザ識別情報とともに前記投影画像の印刷を指示する印刷指示を送信する印刷指示送信部と、
前記画像投影装置へ印刷実績の取得指示を送信する取得指示送信部と、
前記画像投影装置から、ユーザ識別情報と印刷実績とを対応付けており、前記印刷指示に基づいて前記ユーザの前記ユーザ識別情報に対応付けられている印刷実績が更新される印刷実績テーブルを受信する印刷実績受信部と、
前記印刷実績テーブルに基づくレポートを生成するレポート生成部と、
前記レポートを表示部に表示させる表示制御部と、
して機能させるためのプログラム。
【請求項１６】
ネットワークを介して接続される画像投影装置、印刷装置、及び情報処理装置を備える印刷システムであって、
前記画像投影装置は、
前記情報処理装置から投影画像を受信する投影画像受信部と、
前記投影画像を投影する投影部と、
前記情報処理装置から、当該情報処理装置を使用するユーザのユーザ識別情報とともに前記投影画像の印刷指示を受信する印刷指示受信部と、
前記印刷指示に基づいて、前記投影画像の印刷に用いられる印刷情報を生成する印刷情報生成部と、
前記印刷情報を前記印刷装置へ送信する印刷情報送信部と、
ユーザ識別情報と印刷実績とを対応付けた印刷実績テーブルを記憶する印刷実績記憶部において、前記ユーザの前記ユーザ識別情報に対応付けられている印刷実績を更新する更新部と、を備え、
前記印刷装置は、前記画像投影装置から前記印刷情報を受信し、受信した前記印刷情報に基づく印刷を行い、
前記情報処理装置は、
前記画像投影装置へ前記投影画像を送信する投影画像送信部と、
前記画像投影装置へ、前記ユーザの前記ユーザ識別情報とともに前記印刷指示を送信する印刷指示送信部と、を備える印刷システム。
【発明の詳細な説明】
【技術分野】
【０００１】
本発明は、画像投影装置、情報処理装置、プログラム及び印刷システムに関する。
【背景技術】
【０００２】
ＰＣなどの情報処理装置とプロジェクタなどの画像投影装置とをネットワークで接続することにより、情報処理装置上で表示している画像(画面)を、ネットワークを介して画像投影装置で投影させる技術が知られている（例えば、特許文献１参照）。
【発明の概要】
【発明が解決しようとする課題】
【０００３】
しかしながら、上述したような従来技術では、画像投影装置が投影している投影画像を直接印刷することができなかった。
【０００４】
本発明は、上記事情に鑑みてなされたものであり、投影画像を直接印刷することが可能であるとともに印刷実績を管理可能な画像投影装置、情報処理装置、プログラム及び印刷システムを提供することを目的とする。
【課題を解決するための手段】
【０００５】
上述した課題を解決し、目的を達成するために、本発明の一態様にかかる画像投影装置は、ネットワークを介して情報処理装置及び印刷装置と接続される画像投影装置であって、前記情報処理装置から投影画像を受信する投影画像受信部と、前記投影画像を投影する投影部と、前記情報処理装置から、当該情報処理装置を使用するユーザのユーザ識別情報とともに前記投影画像の印刷指示を受信する印刷指示受信部と、前記印刷指示に基づいて、前記投影画像の印刷に用いられる印刷情報を生成する印刷情報生成部と、前記印刷情報を前記印刷装置へ送信する印刷情報送信部と、ユーザ識別情報と印刷実績とを対応付けた印刷実績テーブルを記憶する印刷実績記憶部において、前記ユーザの前記ユーザ識別情報に対応付けられている印刷実績を更新する更新部と、を備える。
【０００６】
また、本発明の別の態様にかかる情報処理装置は、ネットワークを介して画像投影装置と接続される情報処理装置であって、前記画像投影装置へ投影画像を送信する投影画像送信部と、前記画像投影装置へ、前記情報処理装置を使用するユーザのユーザ識別情報とともに前記投影画像の印刷を指示する印刷指示を送信する印刷指示送信部と、前記画像投影装置へ印刷実績の取得指示を送信する取得指示送信部と、前記画像投影装置から、ユーザ識別情報と印刷実績とを対応付けており、前記印刷指示に基づいて前記ユーザの前記ユーザ識別情報に対応付けられている印刷実績が更新される印刷実績テーブルを受信する印刷実績受信部と、前記印刷実績テーブルに基づくレポートを生成するレポート生成部と、前記レポートを表示部に表示させる表示制御部と、を備える。
【０００７】
また、本発明の別の態様にかかるプログラムは、ネットワークを介して情報処理装置及び印刷装置と接続されるコンピュータを、前記情報処理装置から投影画像を受信する投影画像受信部と、前記投影画像を投影部に投影させる投影制御部と、前記情報処理装置から、当該情報処理装置を使用するユーザのユーザ識別情報とともに前記投影画像の印刷指示を受信する印刷指示受信部と、前記印刷指示に基づいて、前記投影画像の印刷に用いられる印刷情報を生成する印刷情報生成部と、前記印刷情報を前記印刷装置へ送信する印刷情報送信部と、ユーザ識別情報と印刷実績とを対応付けた印刷実績テーブルを記憶する印刷実績記憶部において、前記ユーザの前記ユーザ識別情報に対応付けられている印刷実績を更新する更新部と、して機能させるためのものである。
【０００８】
また、本発明の別の態様にかかるプログラムは、ネットワークを介して画像投影装置と接続されるコンピュータを、前記画像投影装置へ投影画像を送信する投影画像送信部と、前記画像投影装置へ、前記情報処理装置を使用するユーザのユーザ識別情報とともに前記投影画像の印刷を指示する印刷指示を送信する印刷指示送信部と、前記画像投影装置へ印刷実績の取得指示を送信する取得指示送信部と、前記画像投影装置から、ユーザ識別情報と印刷実績とを対応付けており、前記印刷指示に基づいて前記ユーザの前記ユーザ識別情報に対応付けられている印刷実績が更新される印刷実績テーブルを受信する印刷実績受信部と、前記印刷実績テーブルに基づくレポートを生成するレポート生成部と、前記レポートを表示部に表示させる表示制御部と、して機能させるためのものである。
【０００９】
また、本発明の別の態様にかかる印刷システムは、ネットワークを介して接続される画像投影装置、印刷装置、及び情報処理装置を備える印刷システムであって、前記画像投影装置は、前記情報処理装置から投影画像を受信する投影画像受信部と、前記投影画像を投影する投影部と、前記情報処理装置から、当該情報処理装置を使用するユーザのユーザ識別情報とともに前記投影画像の印刷指示を受信する印刷指示受信部と、前記印刷指示に基づいて、前記投影画像の印刷に用いられる印刷情報を生成する印刷情報生成部と、前記印刷情報を前記印刷装置へ送信する印刷情報送信部と、ユーザ識別情報と印刷実績とを対応付けた印刷実績テーブルを記憶する印刷実績記憶部において、前記ユーザの前記ユーザ識別情報に対応付けられている印刷実績を更新する更新部と、を備え、前記印刷装置は、前記画像投影装置から前記印刷情報を受信し、受信した前記印刷情報に基づく印刷を行い、前記情報処理装置は、前記画像投影装置へ前記投影画像を送信する投影画像送信部と、前記画像投影装置へ、前記ユーザの前記ユーザ識別情報とともに前記印刷指示を送信する印刷指示送信部と、を備える。
【発明の効果】
【００１０】
本発明によれば、投影画像を直接印刷することが可能であるとともに印刷実績を管理可能であるという効果を奏する。
【図面の簡単な説明】
【００１１】
【図１】図１は、本実施形態の印刷システムの一例を示す摸式図である。
【図２】図２は、本実施形態のプロジェクタの構成の一例を示すブロック図である。
【図３】図３は、本実施形態の印刷実績テーブルの一例を示す図である。
【図４】図４は、本実施形態のＰＣの構成の一例を示すブロック図である。
【図５】図５は、本実施形態のＰＣに表示されている画面の一例を示す図である。
【図６】図６は、本実施形態の換算レート入力画面の一例を示す図である。
【図７】図７は、本実施形態のレポート画面の一例を示す図である。
【図８】図８は、本実施形態の印刷システムで実行される処理の一例を示すシーケンス図である。
【図９】図９は、本実施形態及び変形例のプロジェクタのハードウェア構成の一例を示す図である。
【図１０】図１０は、本実施形態及び変形例のＰＣのハードウェア構成の一例を示す図である。
【発明を実施するための形態】
【００１２】
以下、添付図面を参照しながら、本発明にかかる画像投影装置、情報処理装置、プログラム及び印刷システムの実施形態を詳細に説明する。
【００１３】
まず、本実施形態の印刷システムの構成について説明する。
【００１４】
図１は、本実施形態の印刷システム１の一例を示す摸式図である。図１に示すように、印刷システム１は、プロジェクタ１０−１，１０−２（画像投影装置の一例）と、ＰＣ（Personal  Computer）２０（情報処理装置の一例）と、画像形成装置３０（印刷装置の一例）とを、備える。
【００１５】
プロジェクタ１０−１，１０−２、ＰＣ２０、及び画像形成装置３０は、ネットワーク２を介して接続されている。ネットワーク２は、例えば、ＬＡＮ（Local  Area  Network）やインターネットなどにより実現できる。
【００１６】
図１に示す例では、印刷システム１が、プロジェクタを２台、ＰＣを１台、画像形成装置を１台備えているが、各装置の台数は、これに限定されず、単数であっても複数であってもよい。
【００１７】
なお、以下の説明では、プロジェクタ１０−１，１０−２を各々区別する必要がない場合は、単にプロジェクタ１０と称する場合がある。
【００１８】
画像形成装置３０は、例えば、複合機（ＭＦＰ：Multifunction  Peripheral）、印刷装置、及びファクシミリ装置などが挙げられるが、本実施形態では、複合機である場合を例に取り説明する。本実施形態の複合機は、印刷機能に加え、複写機能、スキャナ機能、及びファクシミリ機能の少なくともいずれかの機能を有するものである。
【００１９】
図２は、本実施形態のプロジェクタ１０の構成の一例を示すブロック図である。図２に示すように、プロジェクタ１０は、通信部１１０と、操作部１２０と、投影部１３０と、記憶部１４０と、制御部１５０とを、備える。
【００２０】
通信部１１０は、ネットワーク２を介してＰＣ２０や画像形成装置３０などの外部機器と通信するものであり、ＮＩＣ（Network  Interface  Card）などの通信装置により実現できる。
【００２１】
操作部１２０は、各種操作の入力を行うものであり、キースイッチや操作子などの入力装置により実現できる。
【００２２】
投影部１３０は、各種画像（画面）を投影するものであり、投影装置により実現できる。投影部１３０は、例えば、スクリーンなどの投影媒体に投影画像を投影する。
【００２３】
記憶部１４０は、プロジェクタ１０で実行される各種プログラムやプロジェクタ１０で行われる各種処理に使用されるデータなどを記憶する。記憶部１４０は、例えば、ＨＤＤ（Hard  Disk  Drive）、ＳＳＤ（Solid  State  Drive）、メモリカード、光ディスク、及びＲＡＭ（Random  Access  Memory）などの磁気的、光学的、又は電気的に記憶可能な記憶装置により実現できる。
【００２４】
記憶部１４０は、印刷実績記憶部１４１を含む。印刷実績記憶部１４１の詳細については、後述する。
【００２５】
制御部１５０は、プロジェクタ１０の各部を制御するものであり、ＣＰＵ（Central  Processing  Unit）などの制御装置により実現できる。制御部１５０は、投影画像受信部１５１と、投影制御部１５３と、印刷指示受信部１５５と、印刷情報生成部１５７と、印刷情報送信部１５９と、印刷完了通知受信部１６１と、更新部１６３と、取得指示受信部１６５と、印刷実績送信部１６７とを、含む。
【００２６】
ここで、制御部１５０は、例えば、記憶部１４０に記憶されている画像投影プログラムを起動（実行）することにより、投影画像受信部１５１及び投影制御部１５３をソフトウェアである画像投影アプリケーションとして実現する。
【００２７】
また制御部１５０は、例えば、記憶部１４０に記憶されているプリンタドライバプログラムを起動（実行）することにより、印刷指示受信部１５５、印刷情報生成部１５７、及び印刷情報送信部１５９をソフトウェアであるプリンタドライバとして実現する。
【００２８】
また制御部１５０は、例えば、記憶部１４０に記憶されている印刷実績管理プログラムを起動（実行）することにより、更新部１６３、取得指示受信部１６５、及び印刷実績送信部１６７をソフトウェアである印刷実績管理アプリケーションとして実現する。
【００２９】
投影画像受信部１５１は、ＰＣ２０から投影画像を受信し、受信した投影画像を記憶部１４０に記憶する。
【００３０】
投影制御部１５３は、投影画像受信部１５１により受信された投影画像、即ち、投影画像受信部１５１により記憶部１４０に記憶された投影画像を投影部１３０に投影させる。
【００３１】
印刷指示受信部１５５は、ＰＣ２０から、当該ＰＣ２０を使用するユーザのユーザ識別情報とともに投影画像の印刷指示を受信する。本実施形態では、ユーザ識別情報がユーザ名である場合を例に取り説明するが、これに限定されず、ユーザＩＤなどユーザを識別可能であればどのような情報であってもよい。
【００３２】
印刷情報生成部１５７は、印刷指示受信部１５５により受信された印刷指示に基づいて、投影画像の印刷に用いられる印刷情報を生成する。印刷情報は、例えば、投影画像の画像データと画像形成装置３０で解釈可能な印刷命令とを含む情報などが挙げられる。
【００３３】
印刷情報送信部１５９は、印刷情報生成部１５７により生成された印刷情報を画像形成装置３０へ送信する。
【００３４】
これにより、画像形成装置３０は、プロジェクタ１０から印刷情報を受信し、受信した印刷情報に基づく印刷を行い、当該印刷が完了すると、プロジェクタ１０へ印刷完了通知を送信する。
【００３５】
このように本実施形態では、プロジェクタ１０にプリンタドライバがインストールされており、プロジェクタ１０上で印刷指示受信部１５５及び印刷情報生成部１５７が実現されるため、投影画像を直接印刷することができる。
【００３６】
印刷完了通知受信部１６１は、画像形成装置３０から印刷完了通知を受信する。
【００３７】
ここで、印刷実績記憶部１４１について説明する。印刷実績記憶部１４１は、ユーザ識別情報と印刷実績とを対応付けた印刷実績テーブルを記憶する。具体的には、印刷実績テーブルは、これまでに印刷指示受信部１５５により印刷指示とともに受信されたユーザ識別情報に、当該ユーザ識別情報が示すユーザのプロジェクタ１０経由での印刷実績を対応付けている。
【００３８】
図３は、本実施形態の印刷実績テーブルの一例を示す図である。図３に示す印刷実績テーブルは、ユーザ識別情報の一例であるＵｓｅｒＮａｍｅと、印刷実績の一例であるカウンタ値とを、対応付けている。本実施形態では、カウンタ値は、印刷枚数を示すものとするが、これに限定されるものではない。なお図３に示す例では、Ｕｓｅｒ１のカウンタ値は“１０”、Ｕｓｅｒ２のカウンタ値は“２０”、Ｕｓｅｒ３のカウンタ値は“３０”となっている。
【００３９】
更新部１６３は、印刷実績記憶部１４１において、印刷指示受信部１５５により受信されたユーザ識別情報に対応付けられている印刷実績を更新する。具体的には、更新部１６３は、印刷完了通知受信部１６１により受信された印刷完了通知に基づいて、印刷指示受信部１５５により受信されたユーザ識別情報に対応付けられている印刷実績を更新する。
【００４０】
例えば、印刷指示受信部１５５により受信されたユーザ識別情報がＵｓｅｒ１である場合、更新部１６３は、図３に示す印刷実績テーブルにおいて、Ｕｓｅｒ１のカウンタ値を“１０”から“１１”に更新する。
【００４１】
取得指示受信部１６５は、ＰＣ２０から印刷実績の取得指示を受信する。
【００４２】
印刷実績送信部１６７は、取得指示受信部１６５により受信された取得指示に基づいて、印刷実績テーブルをＰＣ２０へ送信する。ここで、印刷実績送信部１６７は、印刷実績記憶部１４１に記憶されている印刷実績テーブルそのものをＰＣ２０へ送信してもよいし、印刷実績テーブルに含まれるユーザ識別情報と印刷実績との組をＰＣ２０へ送信してもよい。
【００４３】
また印刷実績送信部１６７は、印刷実績テーブルとともにプロジェクタ１０のプロジェクタ識別情報（画像投影装置識別情報）をＰＣ２０へ送信する。本実施形態では、プロジェクタ識別情報がプロジェクタ名である場合を例に取り説明するが、これに限定されず、プロジェクタＩＤなどプロジェクタを識別可能であればどのような情報であってもよい。プロジェクタ識別情報は、例えば、記憶部１４０へ記憶しておけばよい。
【００４４】
なお、プロジェクタ１０は、上述した各部の全てを必須の構成とする必要はなく、その一部を省略した構成としてもよい。
【００４５】
図４は、本実施形態のＰＣ２０の構成の一例を示すブロック図である。図４に示すように、ＰＣ２０は、通信部２１０と、操作部２２０と、表示部２３０と、記憶部２４０と、制御部２５０とを、備える。
【００４６】
通信部２１０は、ネットワーク２を介してプロジェクタ１０−１，１０−２などの外部機器と通信するものであり、ＮＩＣ（Network  Interface  Card）などの通信装置により実現できる。
【００４７】
操作部２２０は、各種操作の入力を行うものであり、キーボード、マウス、タッチパッド、及びタッチパネルなどの入力装置により実現できる。
【００４８】
表示部２３０は、各種画面を表示するものであり、液晶ディスプレイやタッチパネル式ディスプレイなどの表示装置により実現できる。
【００４９】
記憶部２４０は、ＰＣ２０で実行される各種プログラムやＰＣ２０で行われる各種処理に使用されるデータなどを記憶する。記憶部２４０は、例えば、ＨＤＤ、ＳＳＤ、メモリカード、光ディスク、及びＲＡＭなどの磁気的、光学的、又は電気的に記憶可能な記憶装置により実現できる。
【００５０】
制御部２５０は、ＰＣ２０の各部を制御するものであり、ＣＰＵなどの制御装置により実現できる。制御部２５０は、投影画像送信部２５３と、印刷指示送信部２５５と、取得指示送信部２５７と、印刷実績受信部２５９と、レポート生成部２６１と、受付部２６３と、表示制御部２６５とを、備える。
【００５１】
ここで、制御部２５０は、記憶部２４０に記憶されているプロジェクタドライバプログラムを起動（実行）することにより、投影画像送信部２５３をソフトウェアであるプロジェクタドライバとして実現する。
【００５２】
また制御部２５０は、記憶部２４０に記憶されているプロジェクタ印刷プログラムを起動（実行）することにより、印刷指示送信部２５５、取得指示送信部２５７、印刷実績受信部２５９、レポート生成部２６１、受付部２６３、及び表示制御部２６５をソフトウェアであるプロジェクタ印刷アプリケーションとして実現する。
【００５３】
投影画像送信部２５３は、表示部２３０に表示されている画面の画像を投影画像としてプロジェクタ１０へ送信する。具体的には、投影画像送信部２５３は、表示部２３０に表示されている画面の画像をキャプチャし、キャプチャした画像を投影画像としてプロジェクタ１０へ送信する。
【００５４】
図５は、本実施形態のＰＣ２０に表示されている画面３０１の一例を示す図である。図５に示す例では、画面３０１内にプレゼンテーション用のアプリケーションの画面（プレゼンテーション画面）３０２が表示され、画面３０２上にプロジェクタ印刷アプリケーションの画面（ＰＪ印刷画面）３０３が表示されている。
【００５５】
ここで、プロジェクタ印刷アプリケーションは、プロジェクタ１０に対して投影画像の印刷指示や印刷実績の取得指示を行うためのアプリケーションであり、画面３０３内のＰｒｉｎｔボタン３０４を押下（クリック）することにより印刷指示を行い、Ｒｅｐｏｒｔボタン３０５を押下（クリック）することにより取得指示を行う。
【００５６】
図５に示す例の場合、投影画像送信部２５３は、表示部２３０に表示されている画面３０１の画像をキャプチャし、キャプチャした画像を投影画像としてプロジェクタ１０へ送信する。つまり、投影画像送信部２５３は、画面３０２の画像及び画面３０３の画像を含む画面３０１の画像を投影画像としてプロジェクタ１０へ送信する。
【００５７】
印刷指示送信部２５５は、プロジェクタ１０へ、ＰＣ２０を使用するユーザのユーザ識別情報とともに投影画像の印刷を指示する印刷指示を送信する。具体的には、印刷指示送信部２５５は、ユーザが操作部２２０を操作して、画面３０３内のＰｒｉｎｔボタン３０４を押下することにより、ユーザ識別情報とともに印刷指示をプロジェクタ１０へ送信する。
【００５８】
なお、ＰＣ２０を使用するユーザのユーザ識別情報は、ＰＣ２０に予め設定されているユーザ名や、ユーザがＰＣ２０へログインする際に取得したユーザＩＤなどを用いればよい。
【００５９】
取得指示送信部２５７は、プロジェクタ１０へ印刷実績の取得指示を送信する。具体的には、取得指示送信部２５７は、ユーザが操作部２２０を操作して、画面３０３内のＲｅｐｏｒｔボタン３０５を押下することにより、取得指示をプロジェクタ１０へ送信する。
【００６０】
なお取得指示送信部２５７は、複数のプロジェクタ１０へ取得指示を送信できる。つまり、取得指示送信部２５７は、プロジェクタ１０−１，１０−２の一方だけでなく双方に取得指示を送信できる。
【００６１】
印刷実績受信部２５９は、プロジェクタ１０から、ユーザ識別情報と印刷実績とを対応付けており、印刷指示に基づいて当該印刷指示とともに送信したユーザのユーザ識別情報に対応付けられている印刷実績が更新される印刷実績テーブルを受信する。なお印刷実績受信部２５９は、プロジェクタ１０から、印刷実績テーブルとともにプロジェクタ１０のプロジェクタ識別情報を受信する。
【００６２】
また印刷実績受信部２５９は、取得指示送信部２５７が複数のプロジェクタ１０へ取得指示を送信した場合、当該複数のプロジェクタ１０から、印刷実績テーブルとともにプロジェクタ識別情報を受信する。
【００６３】
例えば、取得指示送信部２５７がプロジェクタ１０−１，１０−２の双方に取得指示を送信した場合、印刷実績受信部２５９は、プロジェクタ１０−１から印刷実績テーブルとともにプロジェクタ識別情報を受信し、プロジェクタ１０−２から印刷実績テーブルとともにプロジェクタ識別情報を受信する。
【００６４】
レポート生成部２６１は、印刷実績受信部２５９により受信された印刷実績テーブルに基づくレポートを生成する。具体的には、レポート生成部２６１は、印刷実績を印刷料金に換算する換算レートに基づいて、印刷実績テーブルの印刷実績を印刷料金に換算したレポートを生成する。例えば、レポート生成部２６１は、印刷実績に換算レートを乗じて印刷料金に換算する。
【００６５】
なお、換算レートは、受付部２６３により入力が受け付けられる。図６は、本実施形態の換算レート入力画面３０６の一例を示す図である。図６に示す換算レート入力画面３０６は、画面３０３内のＲｅｐｏｒｔボタン３０５が押下され、プロジェクタ１０から印刷実績が取得されると、後述の表示制御部２６５により表示部２３０に表示されている画面３０１上に表示される。
【００６６】
そして、ユーザが操作部２２０を操作して、換算レート入力画面３０６上で印刷１枚当たりの料金である換算レートを入力すると、受付部２６３が、換算レートの入力を受け付ける。
【００６７】
レポートは、例えば、印刷実績テーブルのユーザ識別情報と、当該ユーザ識別情報に対応付けられた印刷実績から換算された印刷料金とを、対応付けたものである。なお、更にプロジェクタ識別情報を対応付けてもよい。
【００６８】
表示制御部２６５は、レポート生成部２６１により生成されたレポートを表示部２３０に表示させる。図７は、本実施形態のレポート画面３０７の一例を示す図である。図７に示すレポート画面３０７は、レポート生成部２６１によりレポートが生成されると、表示制御部２６５により表示部２３０に表示されている画面３０１上に表示される。
【００６９】
レポート画面３０７では、プロジェクタ識別情報の一例であるＰｒｏｊｅｃｔｏｒＮａｍｅと、ユーザ識別情報の一例であるＵｓｅｒＮａｍｅと、印刷料金の一例であるＵｓａｇｅＦｅｅとを、対応付けている。なお、Ｐｒｏｊｅｃｔｏｒ１は、プロジェクタ１０−１を表し、Ｐｒｏｊｅｃｔｏｒ２は、プロジェクタ１０−２を表すものとする。また、図７に示す例では、換算レートは、１枚１０円であるものとする。
【００７０】
なお、ＰＣ２０は、上述した各部の全てを必須の構成とする必要はなく、その一部を省略した構成としてもよい。
【００７１】
次に、本実施形態の印刷システムの動作について説明する。
【００７２】
図８は、本実施形態の印刷システム１で実行される処理の一例を示すシーケンス図である。
【００７３】
まず、ＰＣ２０の投影画像送信部２５３は、表示部２３０に表示されている画面の画像をキャプチャし、キャプチャした画像を投影画像としてプロジェクタ１０へ送信する（ステップＳ１０３）。
【００７４】
続いて、プロジェクタ１０の投影画像受信部１５１は、ＰＣ２０から投影画像を受信し、プロジェクタ１０の投影制御部１５３は、投影画像受信部１５１により受信された投影画像を投影部１３０に投影させる（ステップＳ１０５）。
【００７５】
続いて、ＰＣ２０の印刷指示送信部２５５は、プロジェクタ１０へ、ＰＣ２０を使用するユーザのユーザ識別情報とともに投影画像の印刷を指示する印刷指示を送信する（ステップＳ１０７）。
【００７６】
続いて、プロジェクタ１０の印刷指示受信部１５５は、ＰＣ２０からユーザ識別情報及び印刷指示を受信し、プロジェクタ１０の印刷情報生成部１５７は、印刷指示受信部１５５により受信された印刷指示に基づいて、投影画像の印刷に用いられる印刷情報を生成する（ステップＳ１０９）。
【００７７】
続いて、プロジェクタ１０の印刷情報送信部１５９は、印刷情報生成部１５７により生成された印刷情報を画像形成装置（ＭＦＰ）３０へ送信する（ステップＳ１１１）。
【００７８】
続いて、画像形成装置（ＭＦＰ）３０は、プロジェクタ１０から印刷情報を受信し、受信した印刷情報に基づく印刷を行い（ステップＳ１１３）、当該印刷が完了すると、プロジェクタ１０へ印刷完了通知を送信する（ステップＳ１１５）。
【００７９】
続いて、プロジェクタ１０の印刷完了通知受信部１６１は、画像形成装置３０から印刷完了通知を受信し、プロジェクタ１０の更新部１６３は、印刷実績記憶部１４１において、印刷指示受信部１５５により受信されたユーザ識別情報に対応付けられている印刷実績を更新する（ステップＳ１１７）。
【００８０】
続いて、ＰＣ２０の取得指示送信部２５７は、プロジェクタ１０へ印刷実績の取得指示を送信する（ステップＳ１１９）。
【００８１】
続いて、プロジェクタ１０の取得指示受信部１６５は、ＰＣ２０から印刷実績の取得指示を受信し、プロジェクタ１０の印刷実績送信部１６７は、取得指示受信部１６５により受信された取得指示に基づいて、印刷実績テーブルとともにプロジェクタ１０のプロジェクタ識別情報をＰＣ２０へ送信する（ステップＳ１２１）。
【００８２】
続いて、ＰＣ２０の印刷実績受信部２５９は、プロジェクタ１０から印刷実績テーブルとともにプロジェクタ１０のプロジェクタ識別情報を受信し、ＰＣ２０のレポート生成部２６１は、印刷実績受信部２５９により受信された印刷実績テーブル及びプロジェクタ識別情報に基づくレポートを生成する（ステップＳ１２３）。
【００８３】
具体的には、レポート生成部２６１は、受付部２６３により受け付けられた換算レートを用いて、印刷実績テーブルの印刷実績を印刷料金に換算し、プロジェクタ識別情報と、印刷実績テーブルのユーザ識別情報と、当該ユーザ識別情報に対応付けられた印刷実績から換算された印刷料金とを、対応付けたレポートを生成する。
【００８４】
続いて、ＰＣ２０の表示制御部２６５は、レポート生成部２６１により生成されたレポートを表示部２３０に表示させる（ステップＳ１２４）。
【００８５】
以上のように本実施形態によれば、プロジェクタ１０にプリンタドライバがインストールされており、プロジェクタ１０上で印刷指示受信部１５５及び印刷情報生成部１５７が実現されるため、投影画像を直接印刷することができる。
【００８６】
また本実施形態によれば、プロジェクタ１０において投影画像の印刷実績をユーザ毎に管理できるため、ＰＣ２０による印刷実績のレポート化など印刷実績の可視化が可能となる。
【００８７】
また本実施形態によれば、ＰＣ２０は、印刷実績を印刷料金に換算したレポートを生成するため、ユーザは、印刷実績を容易に理解することができる。
【００８８】
（変形例）
なお、本発明は、上記実施形態に限定されるものではなく、種々の変形が可能である。
【００８９】
例えば上記実施形態では、プロジェクタ１０で投影画像の印刷を行ったユーザ毎に印刷料金（印刷実績）を示したレポートを生成する例について説明したが、プロジェクタ１０で行われた投影画像の印刷全体の印刷料金（印刷実績）を示したレポートを生成してもよい。
【００９０】
また上記実施形態では、プロジェクタ１０が印刷実績記憶部１４１を備える例について説明したが、印刷実績記憶部１４１をプロジェクタ１０の外部（例えば、クラウド上）に設けるようにしてもよい。
【００９１】
（ハードウェア構成）
図９は、本実施形態及び変形例のプロジェクタ１０のハードウェア構成の一例を示す図である。本実施形態及び変形例のプロジェクタ１０は、ＣＰＵなどの制御装置８１０と、ＲＯＭやＲＡＭなどの記憶装置８２０と、ＨＤＤなどの外部記憶装置８３０と、投影装置８４０と、キースイッチや操作子などの入力装置８５０と、通信インタフェースなどの通信装置８６０と、を備えており、通常のコンピュータを利用したハードウェア構成となっている。
【００９２】
本実施形態及び変形例のプロジェクタ１０で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００９３】
また、本実施形態及び変形例のプロジェクタ１０で実行されるプログラムを、インターネット等のネットワークに接続されたコンピュータ上に格納し、ネットワーク経由でダウンロードさせることにより提供するようにしてもよい。また、本実施形態及び変形例のプロジェクタ１０で実行されるプログラムを、インターネット等のネットワーク経由で提供または配布するようにしてもよい。また、本実施形態及び変形例のプロジェクタ１０で実行されるプログラムを、ＲＯＭ等に予め組み込んで提供するようにしてもよい。
【００９４】
本実施形態及び変形例のプロジェクタ１０で実行されるプログラムは、上述した各部をコンピュータ上で実現させるためのモジュール構成となっている。実際のハードウェアとしては、ＣＰＵがＨＤＤからプログラムをＲＡＭ上に読み出して実行することにより、上記各部がコンピュータ上で実現されるようになっている。
【００９５】
図１０は、本実施形態及び変形例のＰＣ２０のハードウェア構成の一例を示す図である。本実施形態及び変形例のＰＣ２０は、ＣＰＵなどの制御装置９１０と、ＲＯＭやＲＡＭなどの記憶装置９２０と、ＨＤＤなどの外部記憶装置９３０と、液晶ディスプレイなどの表示装置９４０と、マウスやキーボードなどの入力装置９５０と、通信インタフェースなどの通信装置９６０と、を備えており、通常のコンピュータを利用したハードウェア構成となっている。
【００９６】
本実施形態及び変形例のＰＣ２０で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００９７】
また、本実施形態及び変形例のＰＣ２０で実行されるプログラムを、インターネット等のネットワークに接続されたコンピュータ上に格納し、ネットワーク経由でダウンロードさせることにより提供するようにしてもよい。また、本実施形態及び変形例のＰＣ２０で実行されるプログラムを、インターネット等のネットワーク経由で提供または配布するようにしてもよい。また、本実施形態及び変形例のＰＣ２０で実行されるプログラムを、ＲＯＭ等に予め組み込んで提供するようにしてもよい。
【００９８】
本実施形態及び変形例のＰＣ２０で実行されるプログラムは、上述した各部をコンピュータ上で実現させるためのモジュール構成となっている。実際のハードウェアとしては、ＣＰＵがＨＤＤからプログラムをＲＡＭ上に読み出して実行することにより、上記各部がコンピュータ上で実現されるようになっている。
【符号の説明】
【００９９】
１  印刷システム
２  ネットワーク
１０−１，１０−２（１０）  プロジェクタ
２０  ＰＣ
３０  画像形成装置
１１０  通信部
１２０  操作部
１３０  投影部
１４０  記憶部
１４１  印刷実績記憶部
１５０  制御部
１５１  投影画像受信部
１５３  投影制御部
１５５  印刷指示受信部
１５７  印刷情報生成部
１５９  印刷情報送信部
１６１  印刷完了通知受信部
１６３  更新部
１６５  取得指示受信部
１６７  印刷実績送信部
２１０  通信部
２２０  操作部
２３０  表示部
２４０  記憶部
２５０  制御部
２５３  投影画像送信部
２５５  印刷指示送信部
２５７  取得指示送信部
２５９  印刷実績受信部
２６１  レポート生成部
２６３  受付部
２６５  表示制御部
８１０  制御装置
８２０  記憶装置
８３０  外部記憶装置
８４０  投影装置
８５０  入力装置
８６０  通信装置
９１０  制御装置
９２０  記憶装置
９３０  外部記憶装置
９４０  表示装置
９５０  入力装置
９６０  通信装置
【先行技術文献】
【特許文献】
【０１００】
【特許文献１】特開２００５−２０８８２３号公報
【図１】
2014098805.tif 000003
【図２】
2014098805.tif 000004
【図３】
2014098805.tif 000005
【図４】
2014098805.tif 000006
【図５】
2014098805.tif 000007
【図６】
2014098805.tif 000008
【図７】
2014098805.tif 000009
【図８】
2014098805.tif 000010
【図９】
2014098805.tif 000011
【図１０】
2014098805.tif 000012